(57)【要約】【課題】  レンチキュラーレンズのピッチを細かくしても１次モアレおよび２次モアレのいずれも目立つことがない投影スクリーンを提供する。【解決手段】  透明基板１のフレネルレンズ面２には同心円状に溝が複数形成され、レンチキュラーレンズ面３には微細な円筒レンズ面が複数並列して配置されている。フレネルレンズ面２の同心円状の溝のピッチをｐＦ、レンチキュラーレンズ面３の円筒レンズ 面の繰り返しピッチをｐＬとし、  ｐＬ＞ｐＦの場合、    ＰＥ＝１．０／（１．０／ｐＦ−［ｐＬ／ｐＦ］／ｐＬ）    ＰＨ＝１．０／（１．０／ｐＬ−１．０／ｐＦ＋［ｐＬ／ｐＦ］／ｐＬ）  ｐＦ＞ｐＬの場合、    ＰＨ＝１．０／（１．０／ｐＬ−［ｐＦ／ｐＬ］／ｐＦ）    ＰＥ＝１．０／（１．０／ｐＦ−１．０／ｐＬ＋［ｐＦ／ｐＬ］／ｐＦ）                      （［Ｘ］：Ｘの整数部分）とするとき、ＰＥ／ＰＨ≧２．４、またはＰＨ／ＰＥ≧２．４を満たすようにする。【選択図】  図１
2005092199.tif 000002
【特許請求の範囲】
【請求項１】
フレネルレンズとレンチキュラーレンズとを組み合わせた投影スクリーンにおいて、
レンチキュラーレンズのピッチをｐＬ、フレネルレンズのピッチをｐＦとし、
ｐＬ＞ｐＦの場合、
ＰＥ＝１．０／（１．０／ｐＦ−［ｐＬ／ｐＦ］／ｐＬ）
ＰＨ＝１．０／（１．０／ｐＬ−１．０／ｐＦ＋［ｐＬ／ｐＦ］／ｐＬ）
ｐＦ＞ｐＬの場合、
ＰＨ＝１．０／（１．０／ｐＬ−［ｐＦ／ｐＬ］／ｐＦ）
ＰＥ＝１．０／（１．０／ｐＦ−１．０／ｐＬ＋［ｐＦ／ｐＬ］／ｐＦ）
（［Ｘ］：Ｘの整数部分）
とするとき、
ＰＥ／ＰＨ≧２．４、またはＰＨ／ＰＥ≧２．４
を満たすことを特徴とする投影スクリーン。
【請求項２】
ＰＥ／ＰＨまたはＰＨ／ＰＥは、２．４〜２．６、３．４〜３．６または４．４〜９．０の範囲にあることを特徴する請求項１記載の投影スクリーン。
【請求項３】
ｐＬ／ｐＦまたはｐＦ／ｐＬは、１．１〜１．３または１．７〜１．９の範囲にあることを特徴とする請求項１記載の投影スクリーン。
【請求項４】
ｐＬは、０．３ｍｍ以下であることを特徴とする請求項１記載の投影スクリーン。
【発明の詳細な説明】
【技術分野】
【０００１】
本発明は投影スクリーンに係り、とりわけフレネルレンズとレンチキュラーレンズの周期的な構造によって発生するモアレを目立たなくした投影スクリーンに関する。
【背景技術】
【０００２】
フレネルレンズとレンチキュラーレンズとを組み合わせた投影テレビまたはプロジェクター用の投影スクリーンにおいて、フレネルレンズの同心円群とレンチキュラーレンズの平行直線群とによって発生するモアレは、両者のピッチ比によって楕円状または双曲線状となることが知られている（特許文献１参照）。図６は楕円状のモアレ（以下単に「楕円モアレ」ともいう）の一例を示す図、図７は双曲線状のモアレ（以下単に「双曲線モアレ」ともいう）の一例を示す図である。図６において、楕円モアレは、その一方の焦点がフレネルレンズの中心と一致する。また、図７において、双曲線モアレは、フレネルレンズの中心で交差する２本の直線を漸近線とする。なお、この漸近線が相互になす角度は、レンチキュラーレンズとフレネルレンズのピッチ比によって変化する。
【０００３】
通常、観察者によって知覚されるのはこれら２種類のモアレのうちの一方であるという場合が多いが、実際にはこれら２種類のモアレは同時に発生している。ここで、これら２種類のモアレは、レンチキュラーレンズとフレネルレンズのピッチ比がｎ＋０．５（ｎ：整数）のときにその強度が最も弱くなり、また両モアレの周期（ピッチ）が等しくなる（特許文献２参照）。ここで、レンチキュラーレンズとフレネルレンズのピッチ比がｎ＋０．５から少しでもずれると、両モアレの周期（ピッチ）が相互にずれ、これら２種類のモアレによって２次モアレが発生する。この２次モアレは、レンチキュラーレンズの繰り返し方向の横軸上にうろこ状に発生する。
【０００４】
ところで、この２次モアレが極小となる値は、レンチキュラーレンズとフレネルレンズのピッチ比がｎ＋０．４またはｎ＋０．６の近傍にあるときである（特許文献３および特許文献４参照）。しかしながら、レンチキュラーレンズとフレネルレンズのピッチ比がｎ＋０．４またはｎ＋０．６の近傍にあると、１次モアレ（楕円モアレまたは双曲線モアレ）の強度はそれほど弱くならない。従来の投影スクリーンでは、レンチキュラーレンズのピッチが０．７〜１．０ｍｍ、フレネルレンズのピッチが０．１〜０．１５ｍｍ程度であるので、レンチキュラーレンズのピッチに対応して変化する１次モアレ（楕円モアレまたは双曲線モアレ）のピッチが比較的大きくなり、このためピッチの大きさに起因して１次モアレ（楕円モアレまたは双曲線モアレ）が目立ちやすくなるという問題がある。
【０００５】
一方、最近では、投影スクリーンの高精細化が進み、レンチキュラーレンズのピッチを０．２ｍｍ以下とする場合も生じている。この場合には、フレネルレンズのピッチが０．１〜０．１５ｍｍ程度であるとすると、レンチキュラーレンズとフレネルレンズのピッチが近くなり（ピッチ比の整数部分（ｎ）が１または２となり）、１次モアレの強度も２次モアレの強度も強くなる。なお、この場合には、１次モアレに関してはピッチが小さくなるので目立たなくなる反面、２次モアレに関してはそのピッチが目立ちやすい大きさとなってくるという問題がある。
【特許文献１】米国特許第２，５６７，６５４号明細書
【特許文献２】特開昭５６−５２９８５号公報
【特許文献３】特公平３−６８３６５号公報
【特許文献４】特公平３−７２９７２号公報
【発明の開示】
【発明が解決しようとする課題】
【０００６】
本発明はこのような点を考慮してなされたものであり、レンチキュラーレンズとフレネルレンズとを組み合わせた投影スクリーンであって、レンチキュラーレンズのピッチを細かくしても１次モアレおよび２次モアレのいずれも目立つことがない投影スクリーンを提供することを目的とする。
【課題を解決するための手段】
【０００７】
本発明は、フレネルレンズとレンチキュラーレンズとを組み合わせた投影スクリーンにおいて、レンチキュラーレンズのピッチをｐＬ、フレネルレンズのピッチをｐＦとし、
ｐＬ＞ｐＦの場合、
ＰＥ＝１．０／（１．０／ｐＦ−［ｐＬ／ｐＦ］／ｐＬ）
ＰＨ＝１．０／（１．０／ｐＬ−１．０／ｐＦ＋［ｐＬ／ｐＦ］／ｐＬ）
ｐＦ＞ｐＬの場合、
ＰＨ＝１．０／（１．０／ｐＬ−［ｐＦ／ｐＬ］／ｐＦ）
ＰＥ＝１．０／（１．０／ｐＦ−１．０／ｐＬ＋［ｐＦ／ｐＬ］／ｐＦ）
（［Ｘ］：Ｘの整数部分）
とするとき、
ＰＥ／ＰＨ≧２．４、またはＰＨ／ＰＥ≧２．４
を満たすことを特徴とする投影スクリーンである。
【発明の効果】
【０００８】
本発明によれば、レンチキュラーレンズとフレネルレンズの周期的な構造によって発生する楕円モアレのピッチＰＥおよび双曲線モアレのピッチＰＨが上記関係を満たすので、レンチキュラーレンズのピッチを細かくしても１次モアレおよび２次モアレのいずれも目立つことがなく、投影像をクリアに観察することができる。
【発明を実施するための形態】
【０００９】
以下、図面を参照して本発明の実施の形態について説明する。
【００１０】
以下、本発明の原理および本発明が適用される投影スクリーンの一実施の形態について説明する。
【００１１】
図１および図３Ａは本発明が適用される代表的な投影スクリーンの一例を示す図である。このうち、図１は投影スクリーンを投影側から見た斜視図、図３Ａは図１に示す投影スクリーンの水平断面図である。
【００１２】
図１および図３Ａに示すように、この投影スクリーンは、透明基板１からなり、この透明基板１の投影側および観察側にはそれぞれフレネルレンズ面（フレネルレンズ）２およびレンチキュラーレンズ面（レンチキュラーレンズ）３が設けられている。ここで、透明基板１のフレネルレンズ面２には同心円状に溝（周期的な構造）が複数形成され、レンチキュラーレンズ面３には微細な円筒レンズ面（周期的な構造）が複数並列して配置されている。また、フレネルレンズ面２の同心円状の溝のピッチはｐＦ、レンチキュラーレンズ面３の円筒レンズ面の繰り返しピッチはｐＬであり、これらピッチｐＦ，ｐＬは通常一致しておらず、具体的には後述する関係を満たすように設定されている。
【００１３】
図２および図３Ｂは本発明が適用される代表的な投影スクリーンの別の例を示す図である。このうち、図１は投影スクリーンを観察側から見た斜視図、図３Ｂは図１に示す投影スクリーンの水平断面図である。
【００１４】
図２および図３Ｂに示すように、この投影スクリーンは、フレネルレンズシート２′と、レンチキュラーレンズシート３′とを組み合わせてなり、フレネルレンズシート２′のフレネルレンズ面（フレネルレンズ）２とレンチキュラーレンズシート３′のレンチキュラーレンズ面（レンチキュラーレンズ）３とが互いに向き合うよう配置されている。ここで、フレネルレンズシート２′のフレネルレンズ面２には同心円状に溝（周期的な構造）が複数形成され、レンチキュラーレンズシート３′のレンチキュラーレンズ面３には微細な円筒レンズ面（周期的な構造）が複数並列して配置されている。また、フレネルレンズ面２の同心円状の溝のピッチはｐＦ、レンチキュラーレンズ面３の円筒レンズ面の繰り返しピッチはｐＬであり、これらピッチｐＦ，ｐＬは通常一致しておらず、具体的には後述する関係を満たすように設定されている。なお、レンチキュラーレンズシート３′の観察側の面（レンチキュラーレンズ面３の反対側の面）には、レンチキュラーレンズ面３の円筒レンズ面の繰り返しピッチに対応して、その非集光部にブラックストライプ５が設けられ、集光部に円筒レンズ面６が設けられている。ここで、レンチキュラーレンズシート３′の観察側の面に設けられる円筒レンズ面６は平面状に形成されていてもよく、またブラックストライプ５は必要がなければ省略することができる。
【００１５】
なお、図１および図３Ａに示す透明基板１、図２および図３Ｂに示すフレネルレンズシート２′の透明基板およびレンチキュラーレンズシート３′の透明基板の一方または両方に対しては、入射光を拡散するシリカの粒子等からなる拡散剤が混入されることが好ましい。
【００１６】
以下、上述した投影スクリーンにおけるフレネルレンズとレンチキュラーレンズのピッチｐＦ，ｐＬの望ましい関係について説明する。
【００１７】
上記背景技術のところで説明したように、従来の投影スクリーンでは通常、レンチキュラーレンズとフレネルレンズのピッチ比ｐＬ／ｐＦまたはｐＦ／ｐＬをｎ＋０．５（ｎ：整数）の近傍にすることにより１次モアレを低減するようにしている。しかしながら、レンチキュラーレンズのピッチｐＬが小さくなると、一次モアレ（楕円モアレおよび双曲線モアレ）のピッチも小さくなるので、１次モアレに関してはたとえあってもピッチが小さいために問題がなくなってくる。
【００１８】
従って、レンチキュラーレンズのピッチｐＬが小さい場合には、楕円モアレと双曲線モアレとによって発生する２次モアレを低減することが特に重要になる。ここで、２次モアレを低減するためには、楕円モアレのピッチをＰＥ、双曲線モアレのピッチをＰＨとしたとき（いずれも２つの焦点を結ぶ軸上またはレンチキュラーレンズの繰り返し方向のピッチ）、１次モアレ同士のピッチ比ＰＥ／ＰＨまたはＰＨ／ＰＥをｎ′＋０．５（ｎ′：整数）の近傍にすることが必要である。ここで、レンチキュラーレンズとフレネルレンズのピッチ比ｐＬ／ｐＦまたはｐＦ／ｐＬをｎ＋０．４，ｎ＋０．６（ｎ：整数）の近傍にすると、１次モアレ同士のピッチ比ＰＥ／ＰＨまたはＰＨ／ＰＥをｎ′＋０．５とすることができるが、レンチキュラーレンズとフレネルレンズのピッチ比ｐＬ／ｐＦまたはｐＦ／ｐＬがｎ＋０．５の近傍（ｎ＋０．４，ｎ＋０．６）にあると、１次モアレ同士のピッチが近くなり（ピッチ比の整数部分（ｎ′）が１となり）、どうしても２次モアレが強くなってしまう。
【００１９】
そこで、本発明においては、１次モアレ同士のピッチ比ＰＥ／ＰＨまたはＰＨ／ＰＥを２．５の近傍以上（ピッチ比の整数部分（ｎ′）が２以上）にすることにより、２次モアレの強度を低減するようにする。ここで、ピッチ比ＰＥ／ＰＨまたはＰＨ／ＰＥが２．４より小さくなると２次モアレが目立つようになるので、１次モアレ同士のピッチ比ＰＥ／ＰＨまたはＰＨ／ＰＥは、２．４を下限として次式（１）のような関係にあることが望ましい。
ＰＥ／ＰＨ≧２．４、またはＰＨ／ＰＥ≧２．４              …  （１）
【００２０】
なお、１次モアレ同士のピッチ比ＰＥ／ＰＨまたはＰＨ／ＰＥは、２．５，３．５，４．５の近傍、すなわちＰＥ／ＰＨまたはＰＨ／ＰＥが２．４〜２．６，３．４〜３．６，４．４〜９．０の範囲にあることが望ましい。
【００２１】
ところで、楕円モアレのピッチＰＥおよび双曲線モアレのピッチＰＨと、レンチキュラーレンズのピッチｐＬおよびフレネルレンズのピッチｐＦとの間に次式（２）（３）または（４）（５）のような関係がある。ただし、次式（２）〜（５）において、［Ｘ］はＸの整数部分を意味している。
ｐＬ＞ｐＦの場合、
ＰＥ＝１．０／（１．０／ｐＦ−［ｐＬ／ｐＦ］／ｐＬ）              …（２）
ＰＨ＝１．０／（１．０／ｐＬ−１．０／ｐＦ＋［ｐＬ／ｐＦ］／ｐＬ）…（３）
ｐＦ＞ｐＬの場合、
ＰＨ＝１．０／（１．０／ｐＬ−［ｐＦ／ｐＬ］／ｐＦ）              …（４）
ＰＥ＝１．０／（１．０／ｐＦ−１．０／ｐＬ＋［ｐＦ／ｐＬ］／ｐＦ）…（５）
【００２２】
従って、１次モアレ同士のピッチ比ＰＥ／ＰＨまたはＰＨ／ＰＥを上述した２．４〜２．６，３．４〜３．６，４．４〜９．０の範囲で選択するということは、レンチキュラーレンズとフレネルレンズのピッチ比ｐＬ／ｐＦまたはｐＦ／ｐＬを１．１〜１．３または１．７〜１．９の範囲で選択するということと同義である。ここで、ピッチ比ｐＬ／ｐＦまたはｐＦ／ｐＬが１．１より小さいか１．９より大きいと、ピッチ比ｐＬ／ｐＦまたはｐＦ／ｐＬが１または２に近づき、１次モアレが目立ってしまう。逆に、ピッチ比ｐＬ／ｐＦまたはｐＦ／ｐＬが１．３より大きく１．７より小さいと、ピッチ比ｐＬ／ｐＦまたはｐＦ／ｐＬが１．５に近づき、上述したように２次モアレが強くなってしまう。
【００２３】
上述したように、１次モアレ同士のピッチ比ＰＥ／ＰＨまたはＰＨ／ＰＥが上式（１）を満たすようにした場合、２次モアレの強度を低減させて目立たなくすることができる。しかしながら、その場合でも、１次モアレのピッチが大きくなり、目立つことがあり得る。そこで、本発明においては、楕円モアレのピッチＰＥおよび双曲線モアレのピッチＰＨのいずれか大きい方が、観察者に分解して見える１．５ｍｍのピッチよりも小さくなるようにするとよい。すなわち、楕円モアレのピッチＰＥおよび双曲線モアレのピッチＰＨが次式（６）を満たすようにするとよい。
ＭＡＸ（ＰＥ，ＰＨ）＜１．５ｍｍ                          ……（６）
【００２４】
なお、上述したようなピッチ比ＰＥ／ＰＨまたはＰＨ／ＰＥ、ｐＬ／ｐＦまたはｐＦ／ｐＬは、レンチキュラーレンズのピッチｐＬが０．３ｍｍ以下の場合に特に有効である。
【実施例】
【００２５】
次に、上述した実施の形態の具体的実施例について述べる。ここでは、フレネルレンズとレンチキュラーレンズとを組み合わせた投影スクリーンとして、フレネルレンズのピッチｐＦが異なる下記表１のような投影スクリーン（実施例１〜１２）を用意した。なお、レンチキュラーレンズのピッチｐＬは実施例１〜１２のいずれにおいても０．１５ｍｍとした。
【表１】
2005092199.tif 000003
【００２６】
なお、上記表１において、
ｐＬ：レンチキュラーレンズのピッチ（ｍｍ）
ｐＦ：フレネルレンズのピッチ（ｍｍ）
ＰＥ：楕円モアレのピッチ（ｍｍ）
ＰＨ：双曲線モアレのピッチ（ｍｍ）
である。また、上記表１においては、１次モアレのピッチがレンチキュラーレンズのピッチの１０倍以内であることを条件としている。
【００２７】
そして、上記表１に示した実施例１〜１２につき、投影スクリーン上の投影像を観察した結果、上記実施例１〜１２のいずれにおいても１次モアレおよび２次モアレのいずれもほとんど目立たなかった。
【００２８】
なお、上記実施例１〜１２の場合には、上述した１次モアレ同士のピッチ比ＰＥ／ＰＨまたはＰＨ／ＰＥの望ましい範囲（２．４〜２．６，３．４〜３．６，４．４〜９．０）を考慮すると、レンチキュラーレンズとフレネルレンズのピッチ比ｐＬ／ｐＦまたはｐＦ／ｐＬが
１．１０２９〜１．１８５８
１．２１７５〜１．２２７５
１．２７７７〜１．２９４２
１．７０４５〜１．７２２２
１．７７３０〜１．７８３６
１．８１３８〜１．８９８７
の範囲にあることが特に望ましいことが分かる。
【００２９】
比較例
次に、上述した実施例１〜１２の比較例について述べる。ここでは、フレネルレンズとレンチキュラーレンズとを組み合わせた投影スクリーンとして、フレネルレンズのピッチｐＦが異なる下記表２のような投影スクリーン（比較例１〜７）を用意した。なお、レンチキュラーレンズのピッチｐＬは比較例１〜７のいずれにおいても０．１５ｍｍとした。
【表２】
2005092199.tif 000004
【００３０】
そして、上記表２に示した比較例１〜７につき、投影スクリーン上の投影像を観察した結果、比較例１、２、３、６および７に関しては２次モアレが強く発生して正常な使用ができない状態であった。また、比較例４および５に関しては１次モアレが強く発生して正常な使用ができない状態であった。
【００３１】
なお、図４は上記実施例６の２次モアレの様子を示す図、図５は上記比較例２の２次モアレの様子を示す図である。図４および図５に示すように、図５に比べて図４の方がモアレが目立たっていないことが分かる。
【００３２】
以上、本発明が適用される投影スクリーンの具体的実施例について説明してきたが、本発明はこれらの実施例に限定されるものではなく、種々の変形が可能である。また、本発明が適用される投影スクリーンとしては、図１および図３Ａに示す構成、および図２および図３Ｂに示す構成に限定されるものではなく、投影スクリーン内にフレネルレンズ面とレンチキュラーレンズ面とを含むあらゆる構成のものにも適用することができる。
【図面の簡単な説明】
【００３３】
【図１】本発明が適用される代表的な投影スクリーンの一つの構成を示す斜視図である。
【図２】本発明が適用される代表的な投影スクリーンの別の構成を示す斜視図である。
【図３Ａ】図１に示す投影スクリーンの水平断面図である。
【図３Ｂ】図２に示す投影スクリーンの水平断面図である。
【図４】本発明を適用した実施例６の２次モアレの様子を示す図である。
【図５】比較例２の２次モアレの様子を示す図である。
【図６】投影スクリーン上に発生する楕円モアレの一例を示す図である。
【図７】投影スクリーン上に発生する双曲線モアレの一例を示す図である。
【符号の説明】
【００３４】
１  透明基板
２  フレネルレンズ面（フレネルレンズ）
３  レンチキュラーレンズ面（レンチキュラーレンズ）
【図１】
2005092199.tif 000005
【図２】
2005092199.tif 000006
【図３Ａ】
2005092199.tif 000007
【図３Ｂ】
2005092199.tif 000008
【図４】
2005092199.tif 000009
【図５】
2005092199.tif 000010
【図６】
2005092199.tif 000011
【図７】
2005092199.tif 000012